(57)【特許請求の範囲】
【請求項１】
固定物に接続するための煉瓦壁構造であって、
一つずつ積み上げられると共に接合剤で結合することで煉瓦壁を構成した複数の煉瓦と、
第１の板状体と、該第１の板状体の一端から曲折延伸してなると共に板状体に複数の長尺状の開口部と複数の第１の貫通孔が間隔的に設けられる第２の板状体と、を備える固定プレートと、
一端に位置付け部を有する第１の桿体と、該第１の桿体の一端から曲折延伸してなると共に桿体に複数の第２の貫通孔が設けられる第２の桿体と、を備える複数の補強部材と、
を含み、
前記固定プレートの前記第１の板状体は、前記煉瓦壁と前記固定物との間に設けられると共に、複数の第１の固定部材で前記固定物に挿設固定され、
前記固定プレートの前記第２の板状体は、前記煉瓦壁の一面に設けられると共に、複数の第２の固定部材で前記複数の第１の貫通孔を挿通することで前記煉瓦壁に固定され、
前記複数の第２の固定部材は隣接する二つの前記煉瓦の間に介在され、
前記複数の補強部材は、前記第１の桿体の前記位置付け部で対応する前記固定プレートの前記第２の板状体の前記複数の長尺状の開口部に合わせ、
前記複数の補強部材の前記第２の桿体は、前記煉瓦壁の他面に設けられると共に、複数の第３の固定部材で前記複数の第２の貫通孔を挿通することで前記煉瓦壁に固定され、
前記第３の固定部材は隣接する二つの前記煉瓦の間に介在されることを特徴とする煉瓦壁構造。
【請求項２】
前記第２の板状体の下端には延伸してなる傾斜プレートが形成され、
前記傾斜プレートと前記第２の板状体の接続箇所には複数の排水孔が設けられることを特徴とする請求項１に記載の煉瓦壁構造。
【請求項３】
前記第１の桿体は、一端に第１の基準部を有し、他端に第２の基準部を有することを特徴とする請求項１に記載の煉瓦壁構造。
【請求項４】
前記第１の板状体と前記第２の板状体は垂直状を呈しており、前記第１の桿体と前記第２の桿体は垂直状を呈することを特徴とする請求項１に記載の煉瓦壁構造。
【請求項５】
前記複数の第１の貫通孔と前記複数の第２の貫通孔は縦孔、横孔、円孔を含むことを特徴とする請求項１に記載の煉瓦壁構造。
【請求項６】
前記第１の桿体には複数の第３の貫通孔が設けられ、前記複数の第３の貫通孔は縦孔、横孔、円孔を含むことを特徴とする請求項１に記載の煉瓦壁構造。
【請求項７】
前記固定プレートの前記第１の板状体は前記煉瓦壁の最上方の煉瓦と前記固定物との間に設けられ、
前記固定プレートの前記第２の板状体は前記煉瓦壁の一面の上端箇所に設けられることを特徴とする請求項１に記載の煉瓦壁構造。
【請求項８】
接合剤で前記煉瓦壁、前記固定板の前記第１の板状体、前記固定物の間を結合することを特徴とする請求項１に記載の煉瓦壁構造。
【請求項９】
接合剤で前記煉瓦壁と前記固定プレートの前記第２の板状体の間を接合することを特徴とする請求項１に記載の煉瓦壁構造。
【請求項１０】
接合剤で前記煉瓦壁と前記複数の補強部材の間を結合することを特徴とする請求項１に記載の煉瓦壁構造。
【請求項１１】
固定物に接続するための煉瓦壁構造であって、
一つずつ積み上げられると共に接合剤で結合することで煉瓦壁を構成した複数の煉瓦と、
第１の板状体と、該第１の板状体の一端から曲折延伸してなると共に板状体に複数の長尺状の開口部と複数の第１の貫通孔が間隔的に設けられる第２の板状体と、を備える固定プレートと、
一端に位置付け部を有する第１の桿体と、該第１の桿体の一端から曲折延伸してなると共に桿体に複数の第２の貫通孔が設けられる第２の桿体と、を備える複数の補強部材と、
を含み、
前記固定プレートの前記第１の板状体は、前記煉瓦壁と前記固定物との間に設けられると共に、複数の第１の固定部材で前記固定物に挿設固定され、
前記固定プレートの前記第２の板状体は、前記煉瓦壁の一面に設けられると共に、複数の第２の固定部材で前記複数の第１の貫通孔を挿通することで前記煉瓦壁に固定され、
前記複数の第２の固定部材は隣接する二つの前記煉瓦の間に介在され、
前記複数の補強部材は、前記第１の桿体の前記位置付け部で対応する前記固定プレートの前記第２の板状体の前記複数の長尺状の開口部に合わせ、
前記複数の補強部材の前記第２の桿体は、前記固定物の一面に設けられると共に、複数の第３の固定部材で前記複数の第２の貫通孔を挿通することで前記固定物に固定されることを特徴とする煉瓦壁構造。
【発明の詳細な説明】
【技術分野】
【０００１】
本発明は特に、従来の製造工程設備に用いて薄板基板を製造する薄板支持治具に関する。
【背景技術】
【０００２】
壁は建物にとって極めて重要なものである。壁は、建物の空間を仕切ることによって、各仕切られた空間に異なる作用を与える。煉瓦壁は、壁を構成する主要なものである。台湾は地震多発地帯に位置しているため、建築物の耐衝撃性や耐震性などの要求が非常に重視されている。一般的に、煉瓦壁の施工方法は、煉瓦を一つずつ積み上げ、煉瓦同士の間に接合剤（例えば、セメントモルタル（ｃｅｍｅｎｔ ｍｏｒｔａｒ）など）で結合する。
【発明の概要】
【発明が解決しようとする課題】
【０００３】
但し、普通の施工方法は、煉瓦と天井、はり、桁、又はその他の壁との間にも接合剤のみで結合する。このような構造は、耐衝撃性や耐震性が不十分だけではなく、異なる材質の二つのものの収縮係数が異なるため、亀裂が生じやすくて、地震又は災害による衝撃を受ける際に、建物が倒壊してしまい、人の生命、身体や財産などに危害を与える恐れがある。
【課題を解決するための手段】
【０００４】
本発明は、壁に補強力を与えることで壁の耐衝撃性や耐震性を向上すると共に壁の亀裂を防ぐことができる煉瓦壁構造を提供する。
【０００５】
本発明は、固定物に接続するための煉瓦壁構造を提供する。煉瓦壁構造は、一つずつ積み上げられると共に接合剤で結合することで煉瓦壁を構成した複数の煉瓦と、第１の板状体と該第１の板状体の一端から曲折延伸してなると共に板状体に複数の長尺状の開口部と複数の第１の貫通孔が間隔的に設けられる第２の板状体とを備える固定プレートと、一端に位置付け部を有する第１の桿体と該第１の桿体の一端から曲折延伸してなると共に桿体に複数の第２の貫通孔が設けられる第２の桿体とを備える複数の補強部材と、を含み、前記固定プレートの前記第１の板状体は、前記煉瓦壁と前記固定物との間に設けられると共に、複数の第１の固定部材で前記固定物に挿設固定され、前記固定プレートの前記第２の板状体は、前記煉瓦壁の一面に設けられると共に、複数の第２の固定部材で前記複数の第１の貫通孔を挿通することで前記煉瓦壁に固定され、前記複数の第２の固定部材は隣接する二つの前記煉瓦の間に介在され、前記複数の補強部材は、前記第１の桿体の前記位置付け部で対応する前記固定プレートの前記第２の板状体の前記複数の長尺状の開口部に合わせ、前記複数の補強部材の前記第２の桿体は、前記煉瓦壁の他面に設けられると共に、複数の第３の固定部材で前記複数の第２の貫通孔を挿通することで前記煉瓦壁に固定され、前記第３の固定部材は隣接する二つの前記煉瓦の間に介在される。
【発明の効果】
【０００６】
本発明によれば、煉瓦壁には固定プレートと補強部材が設けられるため、煉瓦壁の結合強度を向上したり煉瓦壁と固定物の結合強度を向上したりすることができる。これにより、煉瓦壁に補強力を与えたり煉瓦壁の亀裂発生を防いだりすることができ、煉瓦壁構造の耐衝撃性や耐震性を大幅に向上できるため、地震又は災害による衝撃を受ける際に、建物が倒壊する可能性を大幅に減少することができる。
【図面の簡単な説明】
【０００７】
【図１】本発明に係る煉瓦壁の第１の実施例の立体分解図を示すものである。
【図２】本発明に係る煉瓦壁構造の第１の実施例の立体構造図を示すものである。
【図３】本発明に係る煉瓦壁構造の第１の実施例の断面図を示すものである。
【図４】本発明に係る煉瓦壁構造の第２の実施例の断面図を示すものである。
【図５】本発明に係る煉瓦壁構造の第３の実施例の断面図を示すものである。
【図６】本発明に係る煉瓦壁の第４の実施例における補強部材の立体図を示すものである。
【図７】本発明に係る煉瓦壁の第５の実施例における補強部材の立体図を示すものである。
【発明を実施するための形態】
【実施例１】
【０００８】
図１〜図３を示すように、本発明に係る煉瓦壁構造は、複数の煉瓦１、固定プレート２及び複数の補強部材３を含む。煉瓦１の材質は必要に応じて適度に選択することができ、特に限定されるものではない。複数の煉瓦１は、煉瓦積み方法で煉瓦を一つずつ積み上げ、接合剤（例えば、セメントモルタルなど）１１で煉瓦１同士の間を結合して、地面に立てる煉瓦壁を構成する。煉瓦壁の頂部は天井やはりなどの固定物に接続され、煉瓦壁の側部は柱や壁などの固定物に接続されるようにしてもよい。本実施例において、煉瓦壁の頂部は天井（即ち、固定物）１００に接続される。
【０００９】
固定プレート２は、金属又は他の材質で製造されたものであり、第１の板状体２１と、該第１の板状体２１の一端から曲折延伸してなる第２の板状体２２と、を備える。第１の板状体２１と第２の板状体２２は垂直状を呈する。第１の板状体２１と第２の板状体２２は煉瓦壁の長さに応じて適当な長さを延長することができる。例えば、第１の板状体２１の広さＷ１は煉瓦１の広さＷ２よりも小さかったり煉瓦１の広さＷ２に等しかったりする一方、第２の板状体２２の広さＷ３は約二つ又は二つ以上（例えば２．５個）の煉瓦１の厚さに相当するようにしてもよい。また、第１の板状体２１と第２の板状体２２のサイズは、特に限定されるものではなく、必要に応じて適当に調整してもよい。
【００１０】
第２の板状体２２には複数の長尺状の開口部２２１と複数の第１の貫通孔２２２が間隔的に設けられる。複数の長尺状の開口部２２１は鉛直方向に延伸する。複数の第１の貫通孔２２２は、複数の長尺状の開口部２２１の両側に設けられており、固定部材に挿通させるための孔として機能してもよく、セメントモルタルを固着するための孔として機能してもよい。複数の第１の貫通孔２２２は、規則な配列又は不規則な配列を呈してもよい。また、複数の第１の貫通孔２２２は、縦孔、横孔、円孔などの貫通孔を含むが、その形状は特に限定されるものではなく、必要に応じて適当に変化してもよい。
【００１１】
第２の板状体２２の下端には上向きに延伸してなる傾斜プレート２３が形成される。傾斜プレート２３は、固定プレート２の下端にあり、セメントモルタルなどを載せることができ、セメントモルタルを受ける機能を有する。また、傾斜プレート２３と第２の板状体２２の接続箇所には複数の排水孔が間隔的に設けられることで、セメントモルタルの水分を排出することができる。
【００１２】
補強部材３は、金属又は他の材質で製造されたものであり、第１の桿体３１と、該第１の桿体３１の一端から曲折延伸してなる第２の桿体３２と、を備える。第１の桿体３１と第２の桿体３２は垂直状を呈する。第１の桿体３１の広さは煉瓦１の広さＷ２よりもやや大きい一方、第２の桿体３２の広さは約二つ又は二つ以上の煉瓦１の厚さに相当するようにしてもよい。また、第１の桿体３１と第２の桿体３２のサイズは、特に限定されるものではなく、必要に応じて適当に調整してもよい。第１の桿体３１の一端には第１の基準部３１１と位置付け部３１２を有しており、第１の桿体３１の他端には第２の基準部３１３を有する。第２の基準部３１３は第２の桿体３２の一端に隣接する。第１の基準部３１１と第２の基準部３１３は、突出の爪状を呈しており、粉飾の基準点として機能してもよい。位置付け部３１２は楔形状、鳥の尾の形状又は他の形状のスライド構造であってもよい。第１の桿体３１には複数の第３の貫通孔３１４が設けられている。複数の第３の貫通孔３１４は、縦孔、横孔、円孔などの貫通孔を含み、規則な配列又は不規則な配列を呈しており、セメントモルタルを固着するための孔として機能してもよい。また、第３の貫通孔３１４の形状は特に限定されるものではなく、必要に応じて適当に変化してもよい。
【００１３】
第１の桿体３２には複数の第２の貫通孔３２１が設けられている。複数の第２の貫通孔３２１は、固定部材に挿通させるための孔として機能してもよく、セメントモルタルを固着するための孔として機能してもよい。複数の第２の貫通孔３２１は、縦孔、横孔、円孔などの貫通孔を含み、規則な配列又は不規則な配列を呈するようにしてもよいが、その形状は特に限定されるものではなく、必要に応じて適当に変化してもよい。
【００１４】
固定プレート２の第１の板状体２１は煉瓦壁と天井（即ち、固定物）１００との間に設けられる。本実施例において、固定プレート２の第１の板状体２１は煉瓦壁の最上方の煉瓦１と天井１００との間に設けられると共に、複数の第１の固定部材（例えば、釘など）４によって天井１００に挿設固定される。また、接合剤１１で煉瓦壁、第１の板状体２１及び天井１００の間を結合するようにしてもよい。
【００１５】
固定プレート２の第２の板状体２２は、煉瓦１の一面の上部に設けられると共に、複数の第２の固定部材（例えば、釘など）５によって適当な第１の貫通孔２２２を貫通することで煉瓦壁に固定される。第２の固定部材５は、隣接する二つの煉瓦１の間に介在される。即ち、第２の固定部材５は、隣接する上下の二つの煉瓦１同士の間の横方向隙間に介在したり、若しくは隣接する左右の二つの煉瓦１同士の間の縦方向隙間に介在したりするようにしてもよい。また、第２の固定部材５の水平設置位置（水平高度）は特に限定されるものではなく、複数の第２の固定部材５は同じ水平設置位置又は異なる水平設置位置に設けられるようにしてもよい。また、接合剤１１で煉瓦壁と第２の板状体２２の間を結合してもよい。また、複数の第１の貫通孔２２２はセメントモルタルを固着するための孔として機能するため、固定プレート２を煉瓦壁に丈夫に固着させることができる。
【００１６】
複数の補強部材３は、煉瓦壁に間隔的に設けられる。具体的に言えば、複数の補強部材３は、第１の桿体３１の一端にある位置付け部３１２によって対応する固定プレート２の第２の板状体２２の長尺状の開口部２２１の中にスライドする。補強部材３の第１の桿体３１が隣接する二つの煉瓦１同士の間に介在するように、補正部材３の水平設置位置（水平高度）を適当に調整することができる。即ち、第１の桿体３１は、隣接する上下の二つの煉瓦１同士の間の横方向隙間に介在されるようにしてもよい。複数の補強部材３の水平設置位置（水平高度）は特に限定されるものではなく、複数の補強部材３は同じ水平設置位置又は異なる水平設置位置に設けられるようにしてもよい。
【００１７】
複数の補強部材３の第２の桿体３２は煉瓦壁の他面に設けられると共に、複数の第３の固定部材（例えば、釘など）６によって適当な第２の貫通孔３２１を貫通することで煉瓦壁に固定される。第３の固定部材６は、隣接する二つの煉瓦１の間に介在される。即ち、第３の固定部材６は、隣接する上下の二つの煉瓦１同士の間の横方向隙間に介在したり、若しくは隣接する左右の二つの煉瓦１同士の間の縦方向隙間に介在したりするようにしてもよい。また、第３の固定部材６の水平設置位置（水平高度）は特に限定されるものではなく、複数の第３の固定部材６は同じ水平設置位置又は異なる水平設置位置に設けられるようにしてもよい。また、接合剤１１で煉瓦壁と補強部材３の間を結合してもよい。また、複数の第２の貫通孔３２１はセメントモルタルを固着するための孔として機能するため、複数の補強部材３を煉瓦壁に丈夫に固着させることができる。複数の補強部材３が煉瓦壁に設けられたら、第１の基準部３１１と第２の基準部３１３は煉瓦壁の両面に突出し、粉飾の基準点として機能する。
【実施例２】
【００１８】
図４に示すように、本実施例において、煉瓦壁の頂部ははり（固定物）２００に接続される。第１の実施例との主な相違点は下記の通りである。即ち、複数の補強部材３は、第１の桿体３１の一端にある位置付け部３１２によって対応する固定プレート２の第２の板状体２２の長尺状の開口部２２１の上端部に合わせ、複数の補強部材３の第２の桿体３２は、はり２００の一面に設けられると共に複数の第３の固定部材６によって適当な第２の貫通孔３２１を挿設することではり２００に固定される。接合剤１１で煉瓦壁、はり２００、複数の補強部材３の間を結合するようにしてもよい。
【実施例３】
【００１９】
図５に示すように、本実施例において、煉瓦壁の側部は壁（固定物）３００に接続される。第１の実施例との主な相違点は下記の通りである。即ち、複数の補強部材３は、第１の桿体３１の一端にある位置付け部３１２によって対応する固定プレート２の第２の板状体２２の長尺状の開口部２２１に合わせ、複数の補強部材３の第２の桿体３２は、壁３００の一面に設けられると共に複数の第３の固定部材６によって適当な第２の貫通孔３２１を挿設することで壁３００に固定される。接合剤１１で煉瓦壁、壁３００、複数の補強部材３の間を結合するようにしてもよい。
【実施例４】
【００２０】
図６に示すように、本実施例において、複数の補強部材３の第１の桿体３１には複数の第３の貫通孔３１４が設けられ、複数の補強部材３の第２の桿体３２には複数の第２の貫通孔３２１が設けられ、複数の第３の貫通孔３１４と複数の第２の貫通孔３２１は二列に配列されている。
【実施例５】
【００２１】
図７に示すように、本実施例において、複数の補強部材３の第２の桿体３２には延伸桿体３３が接続されることで補強部材３の長さを伸ばすようにしてもよい。これにより、より好ましく固定効果を奏することができる。
【産業上の利用可能性】
【００２２】
本発明によれば、煉瓦壁には固定プレート２と補強部材３が設けられるため、煉瓦壁の結合強度を向上したり煉瓦壁と天井、はり、柱又は壁などの固定物の結合強度を向上したりすることができる。これにより、煉瓦壁に補強力を与えたり煉瓦壁の亀裂発生を防いだりすることができ、煉瓦壁構造の耐衝撃性や耐震性を大幅に向上できるため、地震又は災害による衝撃を受ける際に、建物が倒壊する可能性を大幅に減少することができる。従って、煉瓦壁や建築に適用できる。
【符号の説明】
【００２３】
１  煉瓦
１１  接合剤
２  固定プレート
２１  第１の板状体
２２  第２の板状体
２２１  長尺状の開口部
２２２  第１の貫通孔
２３  傾斜プレート
２３１  排水孔
３  補強部材
３１  第１の桿体
３１１  第１の基準部
３１２  位置付け部
３１３  第２の基準部
３１４  第３の貫通孔
３２  第２の桿体
３２１  第２の貫通孔
３３  延伸桿体
４  第１の固定部材
５  第２の固定部材
６  第３の固定部材
１００  天井（固定物）
２００  はり（固定物）
３００  壁（固定物）
【図１】
0005319795.tif 000002
【図２】
0005319795.tif 000003
【図３】
0005319795.tif 000004
【図４】
0005319795.tif 000005
【図５】
0005319795.tif 000006
【図６】
0005319795.tif 000007
【図７】
0005319795.tif 000008